(57)【要約】【課題】無彩色インクを持たない印刷装置でも光沢むらの発生を抑制する。【解決手段】複数のノズルは、印刷媒体に対してインクを吐出するタイミングが他のノズルよりも早い先行ノズルと、インクを吐出するタイミングが先行ノズルよりも遅い後行ノズルとを含み、先行ノズルを用いてドットを形成しながら主走査方向に走査を行う先行パスと、後行ノズルを用いてドットを形成しながら主走査方向に走査を行う後行パスとにおいて、先行ノズルに含まれる各ノズルと後行ノズルに含まれる各ノズルとの、少なくとも一部の使用率を制御して、少なくとも１色の有彩色インクについて印刷対象領域内に吐出するインク量の制御を行い、黒インクの吐出量が予め定められた吐出量よりも多い場合に、有彩色インクを、先行ノズルよりも後行ノズルの吐出量が多くなるよう複数のノズルから、黒インクよりも少ない量吐出させる印刷装置。【選択図】図１
2018043456.tif 000002
【特許請求の範囲】
【請求項１】
印刷ヘッドを印刷媒体に対して前記印刷媒体の幅方向たる主走査方向と該主走査方向に交差する副走査方向とに各々相対的に駆動して印刷する印刷装置であって、
黒インクと有彩色インクとを吐出可能な複数のノズルを備えた印刷ヘッドと、
画像データを取得する取得部と、
前記印刷ヘッドの前記主走査方向への走査を共通の印刷領域において複数回行いつつ前記印刷媒体にインクを吐出させることで、前記画像データに応じたドットを前記印刷媒体に形成するドット形成部と、を備え、
前記複数のノズルは、前記印刷媒体に対して前記インクを吐出するタイミングが他のノズルよりも早い先行ノズルと、前記インクを吐出するタイミングが前記先行ノズルよりも遅い後行ノズルとを含み、
前記ドット形成部は、
前記先行ノズルを用いてドットを形成しながら前記主走査方向に走査を行う先行パスと、前記後行ノズルを用いてドットを形成しながら前記主走査方向に走査を行う後行パスとにおいて、
前記先行ノズルに含まれる各ノズルと前記後行ノズルに含まれる各ノズルとの、少なくとも一部の使用率を制御して、少なくとも前記有彩色インクについて印刷対象領域内に吐出するインク量の制御を行い、
前記印刷対象領域に対する前記黒インクの吐出量が予め定められた吐出量よりも多い場合に、前記有彩色インクを、前記先行ノズルよりも前記後行ノズルの吐出量が多くなるよう前記複数のノズルから前記印刷対象領域に、前記黒インクよりも少ない量吐出させる
印刷装置。
【請求項２】
請求項１に記載の印刷装置であって、
前記ドット形成部は、
前記印刷対象領域に対する前記有彩色インクの吐出量が予め定められた吐出量よりも少ない場合に、前記有彩色インクを、前記先行ノズルよりも前記後行ノズルの吐出量が多くなるように前記複数のノズルの少なくとも一部から吐出させる
印刷装置。
【請求項３】
請求項１に記載の印刷装置であって、
前記ドット形成部は、複数の閾値からなるディザマスクの各閾値と、前記画像データを構成する画素データとを比較することによりドットの形成を決定するものであり、
前記ディザマスクは、前記有彩色インクを吐出する前記後行ノズルによってドットが形成される位置に対応する閾値が、前記有彩色インクを吐出する前記先行ノズルによりドットが形成される位置に対応する閾値よりもドットが形成されやすい値に設定されている
印刷装置。
【請求項４】
黒インクと有彩色インクとを吐出可能な複数のノズルを備えた印刷ヘッドを印刷媒体に対して前記印刷媒体の幅方向たる主走査方向と該主走査方向に交差する副走査方向とに各々相対的に駆動して印刷する印刷方法であって、
画像データを取得する取得工程と、
前記印刷ヘッドの前記主走査方向への走査を共通の印刷領域において複数回行いつつ前記印刷媒体にインクを吐出させることで、前記画像データに応じたドットを前記印刷媒体に形成するドット形成工程と、を備え、
前記複数のノズルは、前記印刷媒体に対してインクを吐出するタイミングが他のノズルよりも早い先行ノズルと、インクを吐出するタイミングが前記先行ノズルよりも遅い後行ノズルとを含み、
前記ドット形成工程では、
前記先行ノズルを用いてドットを形成しながら前記主走査方向に走査を行う先行パスと、前記後行ノズルを用いてドットを形成しながら前記主走査方向に走査を行う後行パスとにおいて、
前記先行ノズルに含まれる各ノズルと、前記後行ノズルに含まれる各ノズルの少なくとも一部の使用率を制御して、少なくとも前記有彩色インクについて印刷対象領域内に吐出するインク量の制御を行い、
前記印刷対象領域に対する前記黒インクの吐出量が予め定められた吐出量よりも多い場合に、前記有彩色インクを、前記先行ノズルよりも前記後行ノズルの吐出量が多くなるよう前記複数のノズルから前記印刷対象領域に、前記黒インクよりも少ない量吐出させる
印刷方法。
【請求項５】
印刷装置が、黒インクと有彩色インクとを吐出可能な複数のノズルを備えた印刷ヘッドを印刷媒体に対して前記印刷媒体の幅方向たる主走査方向と該主走査方向に交差する副走査方向とに各々相対的に駆動して印刷を行うためのコンピュータープログラムであって、
画像データを取得する取得機能と、
前記印刷ヘッドの前記主走査方向への走査を共通の印刷領域において複数回行いつつ前記印刷媒体にインクを吐出させることで、前記画像データに応じたドットを前記印刷媒体に形成するドット形成機能と、をコンピュータープログラムに実現させ、
前記複数のノズルは、前記印刷媒体に対してインクを吐出するタイミングが他のノズルよりも早い先行ノズルと、インクを吐出するタイミングが前記先行ノズルよりも遅い後行ノズルとを含み、
前記ドット形成機能は、
前記先行ノズルを用いてドットを形成しながら前記主走査方向に走査を行う先行パスと、前記後行ノズルを用いてドットを形成しながら前記主走査方向に走査を行う後行パスとにおいて、
前記先行ノズルに含まれる各ノズルと、前記後行ノズルに含まれる各ノズルの少なくとも一部の使用率を制御して、少なくとも前記有彩色インクについて印刷対象領域内に吐出するインク量の制御を行い、
前記印刷対象領域に対する前記黒インクの吐出量が予め定められた吐出量よりも多い場合に、前記有彩色インクを、前記先行ノズルよりも前記後行ノズルの吐出量が多くなるよう前記複数のノズルから前記印刷対象領域に、前記黒インクよりも少ない量吐出させる
コンピュータープログラム。
【発明の詳細な説明】
【技術分野】
【０００１】
本発明は、印刷装置、印刷方法、および、コンピュータープログラムに関する。
【背景技術】
【０００２】
従来、シリアル方式の印刷装置では、印刷ヘッドが印刷媒体上の共通の領域を複数回走査することによってインクドットを形成し、これにより画像を印刷している。このようなシリアル方式の印刷装置では、色材に顔料を用いた顔料インクを使用する印刷装置も増えている。顔料インクを用いたシリアル方式の印刷装置における課題として、特許文献１に記載されているような、見る角度によって印刷表面がブロンズ色に呈色するブロンズ現象が知られている。
【先行技術文献】
【特許文献】
【０００３】
【特許文献１】特許第５５３９１１９号公報
【特許文献２】特許第５６３３１１０号公報
【発明の概要】
【発明が解決しようとする課題】
【０００４】
一般に、顔料インクで高光沢の出力を得るには、顔料成分の他に樹脂成分を有するインクを用いる。樹脂成分が多いほど光沢が出やすくなるが、インク中に保持させることができる樹脂の成分量には限りがあるため、樹脂成分と顔料成分の両方を十分に持つインクを作ることは難しい。よって、顔料成分が多く、樹脂成分が比較的少ない黒インクで高濃度の印画を行うと、光沢度が下がり、光の乱反射の発生により出力色の濃度が下がって見える。すなわち、黒インクを同一印刷領域に一定以上塗布すると、見た目の濃度が十分に上がらず、かえって濃度が低下したように感じられる現象が発生する。また、複数回の走査でインクを吐出して画像を形成する場合、高速化のために走査回数を減らしたり、走査間の時間間隔を短くすると、この現象が発生しやすくなる。
【０００５】
このような現象は、印刷画像全体として観察すると、光沢のむらとして認識される場合がある。このような光沢むらの発生は、複数回の主走査で画像を形成するシリアル方式のプリンターのように、印刷される領域によって、主走査間の時間間隔の差が生じるプリンターにおいて顕著となり、また、双方向印刷のように、主走査方向の両端において一回の副走査送り毎に時間差の関係が逆転する印刷モードにおいて特に顕著になる。本発明は、こうした、単位面積あたりの顔料成分量が比較的多い場合に発生する光沢むらを抑制しようとすることを課題としており、特許文献１によって解決しようとする、顔料成分量が比較的少ない場合でも発生するブロンズ現象とは全く異なる現象を解決しようとするものである。
【課題を解決するための手段】
【０００６】
本発明は、上述の課題の少なくとも一部を解決するためになされたものであり、以下の形態として実現することが可能である。
【０００７】
（１）本発明の一形態によれば、印刷装置が提供される。この印刷装置は、印刷ヘッドを印刷媒体に対して前記印刷媒体の幅方向たる主走査方向と該主走査方向に交差する副走査方向とに各々相対的に駆動して印刷する印刷装置であって；黒インクと有彩色インクとを吐出可能な複数のノズルを備えた印刷ヘッドと；画像データを取得する取得部と；前記印刷ヘッドの前記主走査方向への走査を共通の印刷領域において複数回行いつつ前記印刷媒体にインクを吐出させることで、前記画像データに応じたドットを前記印刷媒体に形成するドット形成部と、を備え；前記複数のノズルは、前記印刷媒体に対して前記インクを吐出するタイミングが他のノズルよりも早い先行ノズルと、前記インクを吐出するタイミングが前記先行ノズルよりも遅い後行ノズルとを含み；前記ドット形成部は；前記先行ノズルを用いてドットを形成しながら前記主走査方向に走査を行う先行パスと、前記後行ノズルを用いてドットを形成しながら前記主走査方向に走査を行う後行パスとにおいて；前記先行ノズルに含まれる各ノズルと前記後行ノズルに含まれる各ノズルとの、少なくとも一部の使用率を制御して、少なくとも前記有彩色インクについて印刷対象領域内に吐出するインク量の制御を行い；前記印刷対象領域に対する前記黒インクの吐出量が予め定められた吐出量よりも多い場合に、前記有彩色インクを、前記先行ノズルよりも前記後行ノズルの吐出量が多くなるよう前記複数のノズルから前記印刷対象領域に、前記黒インクよりも少ない量吐出させる。この形態の印刷装置によれば、例えば、樹脂の含有量の少ない黒インクを用いて濃い黒を出力する際に、樹脂の含有量の多い有彩色インクを主に後行ノズルから吐出できるので、樹脂成分を印刷媒体の表面に多く残すことができ、光沢むらの発生を抑制することができる。そのため、黒以外の無彩色インクを持たない印刷装置でも光沢むらの発生を抑制できる。
【０００８】
（２）上記形態の印刷装置において、ドット形成部は、共通の印刷領域に対する有彩色インクの吐出量が予め定められた吐出量よりも少ない場合に、有彩色インクを、先行ノズルよりも後行ノズルの吐出量が多くなるように複数のノズルの少なくとも一部から吐出させてもよい。この形態の印刷装置によれば、樹脂の含有量の多い有彩色インクを後半の主走査で少量吐出するため、樹脂成分を表面に多く残すことができ、光沢むらの発生を抑制することができる。そのため、黒以外の無彩色インクを持たない印刷装置でも光沢むらの発生を抑制できる。
【０００９】
（３）上記形態の印刷装置において、前記ドット形成部は、複数の閾値からなるディザマスクの各閾値と、前記画像データを構成する画素データとを比較することによりドットの形成を決定するものであり；前記ディザマスクは、前記有彩色インクを吐出する前記後行ノズルによってドットが形成される位置に対応する閾値が、前記淡インクを吐出する前記先行ノズルによりドットが形成される位置に対応する閾値よりもドットが形成されやすい値に設定されてもよい。この形態の印刷装置によれば、ディザマスクを用いるだけでハーフトーン処理と各ノズルの使用率とを決定できる。そのため、処理を高速化できる。
【００１０】
なお、本発明は、種々の形態で実現することが可能であり、例えば、印刷方法や、コンピュータープログラム等の形態で実現することができる。コンピュータープログラムは、コンピューターが読み取り可能な記録媒体に記録されていても良い。
【図面の簡単な説明】
【００１１】
【図１】印刷システムの概略構成を示す図である。
【図２】プリンターの概略構成を示す図である。
【図３】印刷ヘッドの底面に形成されたノズル列の配置をキャリッジ側から見た図である。
【図４】モノクロデータの入力階調値に応じたインクデューティーを示す図である。
【図５】モノクロデータの入力階調値に応じたインクデューティーの他の例を示す図である。
【図６】有彩色インク用ノズル列のノズル別のノズル使用率の設計値を示す図である。
【図７】ノズル列がパス毎に副走査される様子を示す図である。
【図８】重複ノズルマップの一例を示している。
【図９】コンピューターが実行する印刷処理のフローチャートである。
【図１０】第２実施形態における有彩色インク用ノズル列のノズル別のノズル使用率の設計値を示す図である。
【図１１】重複ノズルマップの一例を示す図である。
【発明を実施するための形態】
【００１２】
Ａ．第１実施形態：
図１は、本発明の一実施形態としての印刷システム１０の概略構成を示す図である。図示するように、本実施形態の印刷システム１０は、コンピューター１００と、コンピューター１００の制御の下で実際に画像を印刷するプリンター２００とから構成されている。印刷システム１０は、全体が一体となって広義の印刷装置として機能する。
【００１３】
図１に示すコンピューター１００には、所定のオペレーティングシステムがインストールされており、このオペレーティングシステムの下で、アプリケーションプログラム２０が動作している。オペレーティングシステムには、ビデオドライバー２２やプリンタードライバー２４が組み込まれている。アプリケーションプログラム２０は、例えば、周辺機器インターフェース等を通じて、デジタルカメラ１２０から画像データＩＭＧを入力する。すると、アプリケーションプログラム２０は、ビデオドライバー２２を介して、この画像データＩＭＧによって表される画像をディスプレイ１１４に表示する。また、アプリケーションプログラム２０は、プリンタードライバー２４を介して、画像データＩＭＧをプリンター２００に出力する。アプリケーションプログラム２０がデジタルカメラ１２０から入力する画像データＩＭＧは、レッド（Ｒ）、グリーン（Ｇ）、ブルー（Ｂ）の３色の色成分からなるカラーデータ、または、１色の色成分のみのモノクロデータである。
【００１４】
本願の「ドット形成部」に相当し「ドット形成機能」を実現するプリンタードライバー２４は、画像取得モジュール４０と、色変換モジュール４２と、ハーフトーンモジュール４４と、印刷データ出力モジュール４６とを備えている。本願の「取得部」に相当し「取得機能」を実現する画像取得モジュール４０は、アプリケーションプログラム２０から、印刷の対象となる画像データの取得を行う。
【００１５】
色変換モジュール４２は、予め用意された色変換テーブルＬＵＴを参照して、画像データの色成分Ｒ，Ｇ，Ｂをプリンター２００が表現可能な色成分（シアン（Ｃ）、マゼンタ（Ｍ）、イエロー（Ｙ）、ブラック（Ｋ）の各色）に変換する。
【００１６】
ハーフトーンモジュール４４は、色変換後の画像データを、ドットの分布によって表すハーフトーン処理を行う。ハーフトーンモジュール４４は、予め用意されたディザマスクＤＭを用いてハーフトーン処理を行う。
【００１７】
印刷データ出力モジュール４６は、ハーフトーン処理によって得られた各色のドットの配置を表すデータを、プリンター２００の印刷ヘッド２４１によるドットの形成順序に合わせて並び替え、印刷データとしてプリンター２００に出力する。
【００１８】
本実施形態では、画素データの色に応じ、後述する印刷ヘッド２４１に設けられた各ノズルの使用率を設定する。黒インクを高いインクデューティーで打つ時には、少量の有彩色インクも併用する。またその時の有彩色インクは、同一領域を走査する複数回の主走査パスうち、後行パス主体で打つようにする。インクデューティーとは、所定の印刷領域に対するドット記録率のことである。印刷システム１０は、このようにして、光沢むらの改善に有効な樹脂成分を多く含む有彩色インクを、樹脂成分が印刷物表面に残りやすくできるよう、後行パス主体で印字することにより、少量の有彩色インクの使用で効果的に光沢むらを抑制している。有彩色インクを後に印字する原理については後で詳しく説明する。
【００１９】
なお、「有彩色インク」とは、本実施形態においてはシアン（Ｃ）、マゼンタ（Ｍ）、イエロー（Ｙ）インクの内少なくとも１色を指す。また、通常濃度の有彩色インクに加え、通常濃度よりも濃度が薄いライトシアン（Ｌｃ）やライトマゼンタ（Ｌｍ）を持つ構成も可能である。この場合は、ライトインクも有彩色インクに含まれる。
【００２０】
図２は、プリンター２００の概略構成を示す図である。プリンター２００は、シリアル方式のプリンターであり、紙送りモーター２３５によって印刷媒体Ｐを副走査方向に搬送する搬送機構と、キャリッジモーター２３０によってキャリッジ２４０をプラテン２３６の軸方向、すなわち印刷媒体Ｐの幅方向である主走査方向に複数回搬送させる主走査機構と、キャリッジ２４０に搭載された印刷ヘッド２４１を駆動してインクの吐出およびドット形成を行う機構と、これらの紙送りモーター２３５、キャリッジモーター２３０、印刷ヘッド２４１および操作パネル２５６との信号のやり取りを司る制御回路２６０とから構成されている。印刷媒体Ｐとしては、例えば合成樹脂が表面にコーティングされた光沢メディアを用いることが出来る。
【００２１】
キャリッジ２４０をプラテン２３６の軸方向に往復動させる主走査機構は、プラテン２３６の軸と並行に架設されキャリッジ２４０を摺動可能に保持する摺動軸２３３と、キャリッジモーター２３０との間に無端の駆動ベルト２３１を張設するプーリー２３２と、キャリッジ２４０の原点位置を検出する位置検出センサー２３４等から構成されている。
【００２２】
キャリッジ２４０には、シアンインク（Ｃ）と、マゼンタインク（Ｍ）と、イエローインク（Ｙ）と、ブラックインク（Ｋ）とを収容した複数のインクカートリッジ２４３が搭載される。本実施形態において、インクの色材は顔料であり、各インクは顔料成分の他に光沢を改善する目的の樹脂成分を有するが、インクが保持可能な顔料成分や樹脂成分の量には限りがある。黒インク（Ｋ）は顔料成分を多く含むために、樹脂成分に割り当てられる余地が小さくなり、樹脂成分が比較的少ない。有彩色インク（Ｃ，Ｍ，Ｙ）は黒インク（Ｋ）に比べて、樹脂成分量を多く出来る。通常濃度の有彩色インク（Ｃ，Ｍ，Ｙ）に加え、濃度の薄いライトインク（Ｌｃ，Ｌｍ）を持つ構成の場合、同色相の濃インク（Ｃ，Ｍ）に比べて顔料成分が少なくなるため、樹脂成分量をさらに多く出来る。キャリッジ２４０の下部に設けられた印刷ヘッド２４１には、インクを吐出するノズル列２４４〜２４７が、インクの色毎に形成されている。
【００２３】
図３は、印刷ヘッド２４１の底面に形成されたノズル列の配置をキャリッジ２４０側から見た図である。図示するように、印刷ヘッド２４１は、主走査方向に交差する副走査方向に複数のノズルが並んで形成されたノズル列２４４〜２４７を備えている。本実施形態では、各ノズル列は、１４個のノズルから構成されている。これらのノズル列２４４〜２４７は、キャリッジ２４０に装着されるインクカートリッジ２４３からインクが供給され、それぞれシアンインク（Ｃ）、マゼンタインク（Ｍ）、イエローインク（Ｙ）、ブラックインク（Ｋ）を吐出可能である。以下では、副走査方向に向かって先頭側のノズルの番号を「１３」とし、後端側のノズルの番号を「０」として説明する。なお、図３に示すように、本実施形態では、各インク色に対応するノズル列は、ノズルが副走査方向に１列に並んで構成されるが、各ノズル列におけるノズルの配置は、特に限定するものではない。例えば、１つのインク色に対して、ノズルが複数列に並んでいてもよいし、ノズルが千鳥状に配置されていても良い。
【００２４】
図２に示すように、プリンター２００が備える制御回路２６０は、ＣＰＵ１０２や、ＲＯＭ、ＲＡＭ、ＰＩＦ（周辺機器インターフェース）等がバスで相互に接続されて構成されている。制御回路２６０は、ＰＩＦを介してコンピューター１００から出力された印刷データを受け取ると、キャリッジモーター２３０を駆動することによって、印刷ヘッド２４１を印刷媒体Ｐに対して主走査方向に複数回往復動させ、また、紙送りモーター２３５を駆動することによって、印刷媒体Ｐを副走査方向に移動させる。制御回路２６０は、キャリッジ２４０が往復動する動き（主走査）や、印刷媒体の紙送りの動き（副走査）に合わせて、印刷データに基づいて適切なタイミングでノズルを駆動することにより、印刷媒体Ｐ上の適切な位置に適切な色のインクドットを形成する。こうすることによって、プリンター２００は、印刷媒体Ｐ上にカラー画像を印刷することが可能となっている。なお、本実施形態は、印刷媒体を副走査方向に搬送しているが、印刷媒体の位置を固定し、キャリッジ２４０を副走査方向に搬送することとしてもよい。つまり、印刷ヘッド２４１は、印刷媒体Ｐに対して主走査方向および副走査方向にそれぞれ相対的に駆動されればよい。
【００２５】
本実施形態では、印刷ヘッド２４１の駆動制御の態様として、１色あたりのノズル数１４、ノズルピッチを２、紙送り量を７とし、印刷ヘッド２４１の往動時と復動時との両方でインクを吐出する双方向印刷を行うこととする。ノズルピッチとは、ノズル列に形成された２つのノズル間の間隔のことをいう。本実施形態では、ノズルピッチを「２」としたため、１回の印刷ヘッド２４１の主走査で１ラインおきにドットが形成されることになる。１回の紙送り量に相当する７ライン分の領域に注目して見ると、先行パスである１回目の主走査パスでは、ノズル番号１０~１３番の４本の先端側ノズルにより１ラインおきにドットが形成され、２回目の主走査パスでは、ノズル番号７~９の３本のノズルにより、間のラインにドットが形成され、３回目の主走査パスでは、ノズル番号３〜６の４本のノズルにより１回目の主走査パスと同一のライン上を重複して走査し、後行パスである４回目の主走査パスでは、ノズル番号０~２の３本の後端側ノズルが、１回目の主走査パスと同一のライン上を重複して走査する。
【００２６】
上述したように、本実施形態の印刷システム１０は、光沢むらを抑制する機能を備えている。印刷システム１０は、このような機能を実現するために、有彩色インクを吐出するノズル列のうち、副走査方向に向かって後端側のノズルの使用率を、先端側のノズルよりも高める制御を行う。以下、使用率を高める後端側のノズルのことを、「後行ノズル」といい、相対的に使用率を低くする先端側のノズルのことを「先行ノズル」という。具体的には、同一領域を複数回の主走査パスで完成させる場合、先行パスを担当するノズルを先行ノズル、後行パスを担当するノズルを後行ノズルとする。ただし、走査回数が奇数の時は、中央のパスを担当するノズルはどちらにも属さないものとしてよい。また、先行ノズルは後行ノズルを含む他のノズルよりも早い主走査パスを担当するため、インクを吐出するタイミングが早い（換言すれば、後行ノズルは先行ノズルよりもインクを吐出するタイミングが遅い）。使用率を高めるノズルの個数は、本実施形態では、１回の副走査によって印刷ヘッド２４１が副走査方向に移動する紙送り量に含まれるノズル数（本実施形態では、４個）とする。図３に示すように、本実施形態では、後行ノズルはノズル番号０〜３番のノズルであり、先行ノズルは１０〜１３番のノズルである。
【００２７】
図４は、０を白、２５５を黒とするモノクロ画像データの印刷時における、入力階調値に応じたインクデューティーを示す図である。この図では、縦軸はインクデューティーを示しており、横軸は入力階調値を示す。図４では、入力階調値は０〜２５５であり、入力階調値が大きい程（２５５に近い程）対応する画素の濃度が高く、入力階調値が小さい程（０に近い程）対応する画素の濃度が低いものとする。図４には、シアン、マゼンタ、イエローの３色の有彩色インク各々のインクデューティーと、有彩色インクの合計のインクデューティー、黒インクのインクデューティー、全インクの合計のインクデューティーとをそれぞれ示している。
【００２８】
図４に示すように、本実施形態では、黒インクのインクデューティーについては、入力階調値が大きくなるほどインクデューティーも大きな値になるようにした。一方、有彩色インクの合計のインクデューティーについては、例えばＲ，Ｇ，Ｂカラー入力において色データの値が（Ｒ，Ｇ，Ｂ）＝（０〜１０，０〜１０，０〜１０）であるような、黒インクのインクデューティーが予め定められた値（本実施形態では約７５％）になる入力階調値（本実施形態では約２２４以降）では８％であり、入力階調値２５５では２０％（内訳はシアン１０％、マゼンタ７％、イエロー３％）に達する構成となっている。つまり、本実施形態では、印刷対象領域に対する黒インクの吐出量が予め定められた吐出量よりも多い場合に、有彩色インクを、その印刷対象領域に、黒インクよりも少ない量吐出する。
【００２９】
図５は、０を白、２５５を黒とするモノクロ画像データの印刷時における入力階調値に応じたインクデューティーの他の例を示す図である。図４に示した例では、入力階調値が小さい場合に、黒インクのみでグレーが表現される。これに対して、図５に示すように、入力階調値が予め定められた値（本実施形態では約１１４以降）より小さい場合、すなわちグレー部の明部において、黒インクではなく有彩色インクの混色でグレーを表現してもよい。なお、本実施形態では、光沢むらの改善のために、黒のグレーバランスが崩れない範囲で、樹脂成分の多い有彩色インクを用いる。そのため、有彩色インクの吐出により、実際のグレーバランスが所望の特性から外れてしまう場合には、図４、５に示した有彩色インク３色（Ｃ，Ｍ，Ｙ）の値のバランスを適当に調整する。
【００３０】
図６は、本実施形態における有彩色インク用ノズル列のノズル別のノズル使用率の設計値を示す図である。なお、これは設計時の期待値であり、ノズル番号単位で見るとバラツキが発生するため、おおむねこのような傾向にあればよい。この図では、縦軸はノズル使用率を示しており、横軸はノズル番号を示す。ノズル使用率とは、あるノズルでドットが形成される確率を意味する。図６には、インクデューティーが１００％、５０％、８％、４％の場合のそれぞれのノズル使用率が示されている。インクデューティーがそれらの間の値の場合については、ノズル番号ごとに、図６に示したインクデューティー値から直線補間によって求められる値を用いる。インクデューティーが４％の場合、後行ノズルであるノズル番号０〜３が用いられてインクが吐出される。また、インクデューティーが８％の場合、後行ノズルを含むノズル番０〜６が用いられてインクが吐出される。図６に示すように有彩色インクの吐出を行えば、主に後行ノズルで入力階調値が２２４〜２５５の場合に吐出されるような少量のインク（図４参照）を吐出することができる。言い換えれば、共通の印刷領域に対する有彩色インクの吐出量が予め定められた吐出量よりも少ない場合に、有彩色インクを、主に後行ノズルで吐出することができる。なお、インクデューティーが５０％、１００％では、ノズル列の両端に近づくほどノズルの使用率を下げることで、紙送り量の周期でつなぎ目が筋として認識されてしまうバンディングの発生を抑制できる。インクデューティーが８％や４％では、その効果が消滅することになるが、バンディングが顕在化するのは主にインクデューティーが中〜高程度の時なので、このような低いインクデューティーでは大きな問題とはならない。
【００３１】
図７は、あるノズル列がパス毎に副走査される様子を示す図である。図７には、印刷媒体に対してノズル列が相対的に移動している様子を示している。図７では、ノズル列が移動している様子を示しているが、ノズル列ではなく印刷媒体を移動させる場合、移動方向は逆方向になる。本実施形態では、１４個のノズル（０番〜１３番）から構成されたノズル列が、主走査の度に７ドットずつ副走査（紙送り）させる。そして本実施形態では、４回の主走査および３回の副走査で共通の印刷領域ＣＡにドットを埋めて完成させる。本実施形態における共通の印刷領域ＣＡとは、副走査方向に７ドット分の幅の領域である。本実施形態では、紙送り量と一致する７ドットの副走査方向幅の周期で、同じノズル番号の組合せが繰り返し出現する。
【００３２】
上記のような印刷ヘッド２４１の駆動制御によって、共通の印刷領域ＣＡを完成させるため、本実施形態では、ノズル番号１０〜１３を１パス目に、ノズル番号７〜９を２パス目に、ノズル番号３〜６を３パス目に、ノズル番号０〜２を４パス目に使用する。すると、ノズル番号１０〜１３およびノズル番号３〜６は、１パス目と３パス目とで、ノズル番号７〜９およびノズル番号０〜２は、２パス目と４パス目とで同じ画素位置を走査するので、同一画素位置をどちらのパスでも印字可能である。そのため、例えば、ノズル番号１０は１パス目に５０％、ノズル番号３は４パス目に５０％の比率でドットを形成するように、それぞれの、ハーフトーン側での特別な配慮を行わないときの使用率の期待値を制御できる。本実施形態では印刷ヘッド２４１が備える複数のノズルのそれぞれの使用率を、以下に説明する重複ノズルマップによって設定する。
【００３３】
図８は、図６のインクデューティー１００％の時の特性を実現するための重複ノズルマップの一例を示す図である。図８の重複ノズルマップは、主走査方向に沿った横サイズが８であり、副走査方向に沿った縦サイズが７である。図８に示した各格子は１つのドットを示し、格子内の番号は、そのドットを形成するノズルの番号を示している。つまり、印刷媒体上に形成されるドットは、その形成位置と、そのドットを形成するノズルの番号とが一意に対応していることになる。この重複ノズルマップを印刷媒体上に繰り返し適用すれば、どの画素位置にどのノズルでドットを形成するかを指定できる。図８は主走査方向が８画素周期の繰り返しとなるノズルマップの例であり、例えば、ノズル５は７５％、ノズル１２は２５％の割当率となっており、例えば、ノズル０は１２．５％、ノズル７は８７．５の割り当て率となっている。ハーフトーン側での特別な配慮がない場合は、確率的にはこのような比率でノズルが使用されることになり、図６の１００％から５０％の範囲の使用率が期待値となるハーフトーンが実現できる。割当率とは、重複ノズルマップにおける、重複関係にあるノズルの比率を示す値である。図６の５０％未満の時の特性は、重複ノズルマップの割当率とは異なる使用比率を実現する必要があるため、実現のためには特別に配慮したハーフトーン手法を用いる必要がある。この特別なハーフトーン手法については後述する。
【００３４】
なお、重複ノズルマップのサイズは縦横共に図８に示したサイズより大きくてもよいし、小さくてもよい。横サイズを大きくすれば、それだけ、各ノズルの使用率をより細かく設定することが可能となる。重複ノズルマップは、１回の主走査パスで形成される画素位置を同じグループとして、グループ単位で見た時に偏りなく均等に分散配置されるよう作成することが望ましいが、そのノズルマップ内での配置自体は規則的であっても不規則であってもかまわない。また、縦サイズも紙送り量である７の整数倍であれば図８に示したサイズに限られない。縦サイズは対応するノズル番号の組合せが同じ繰り返しになる周期が最小単位となる。本実施形態の場合は７だが、たとえば紙送り量が一定ではなく、７と１１の送りを交互に行う場合などでは、繰り返し周期は７と１１を足した１８となる。
【００３５】
プリンタードライバー２４は、上述したように、先行ノズルに含まれる各ノズルと後行ノズルに含まれる各ノズルとの、少なくとも一部の使用率を制御して、少なくとも有彩色インク（Ｃ，Ｍ，Ｙ）について印刷対象領域内に吐出するインク量の制御を行う。また、印刷対象領域に対する黒インクの吐出量が予め定められた吐出量よりも多い場合に、有彩色インク（Ｃ，Ｍ，Ｙ）を、先行ノズルよりも後行ノズルの吐出量が多くなるよう複数のノズルから印刷対象領域に、黒インクよりも少ない量吐出させる。以下、印刷処理について詳細に説明する。
【００３６】
図９は、本実施形態のコンピューター１００が実行する印刷処理のフローチャートである。この印刷処理は、ハードウェアとしてのＣＰＵ１０２がプリンタードライバー２４として用意されたプログラムを実行することにより行なわれる。プログラムはコンピューター１００のメモリに記憶されていても良いし、コンピューター１００が読み取り可能な各種記録媒体に記録されていてもよい。この印刷処理では、コンピューター１００は、まず、画像取得モジュール４０を用いて、ＲＧＢ形式またはモノクロ形式の画像データＩＭＧをアプリケーションプログラム２０から取得する（ステップＳ１００）。なお、ステップＳ１００を「取得工程」ともいう。
【００３７】
画像データを取得すると、コンピューター１００は、色変換モジュール４２を用いて、ステップＳ１００で取得した画像データを、ＣＭＹＫ形式の画像データに変換する色変換処理を行い、各色の画素データ（インクデューティー）を決定する（ステップＳ２００）。この際、ＲＧＢ形式の入力データであれば、ＲＧＢ値を入力、各色インクのインクデューティーを出力とする３次元ルックアップテーブルを参照して、入力画像データに対応するＣＭＹＫ各インクのインクデューティーを決める。モノクロ形式の入力データの場合には、図４および図５に示したような取得階調値とインクデューティーの関係を示すテーブルを用いて、黒インクと有彩色インクのインクデューティーをそれぞれ決める。
【００３８】
なお、３次元ルックアップテーブル参照時には、すべてのＲＧＢ値の組合せに対応したルックアップテーブルではなく、適当な間隔の格子点上のＲＧＢ値にのみ対応したルックアップテーブルを元に、格子点間のＲＧＢ値に対応するインク量出力については、近傍の４つの格子点から四面体補間演算で求める、等の手法を用いても良い。また、ＲＧＢ形式の入力データの場合、３次元ルックアップテーブルを参照するため、図４および図５に示したような１次元ルックアップテーブルは使用しないが、三次元ルックアップテーブルからＲ＝Ｇ＝Ｂとなるモノクロ軸上のインク量出力値を抽出すると、図４および図５と同等のグラフを得ることが出来る。この際、明暗の論理が逆になるため、図４、５の横軸は左端がＲ＝Ｇ＝Ｂ＝２５５となり、右端がＲ＝Ｇ＝Ｂ＝０となる。
【００３９】
ＣＭＹＫ形式の画像データが得られると、コンピューター１００は、ハーフトーンモジュール４４を用いてシアン（Ｃ）、マゼンタ（Ｍ）、イエロー（Ｙ）、ブラック（Ｋ）の色毎にディザマスクＤＭを用いてハーフトーン処理を行う（ステップＳ３００）。本実施形態では、上述した特別なハーフトーン手法を実現するため、図８に示した重複ノズルマップと同期して閾値配置を最適化したディザマスクＤＭを用いて、ハーフトーン処理と同時に各ノズルの使用率を決定する。具体的には、インクデューティーが５０％以下の場合には、ディザマスクＤＭのサイズを重複ノズルマップサイズの縦横とも整数倍のサイズとすることで、ディザマスクＤＭ上の位置に対応するノズル番号が一意的に決まるようにしたうえで、図８に示した重複ノズルマップを参照して、ドットの形成されやすい小さな閾値が後行ノズルのノズル番号の位置に配置される比率が高まるように、予め、ディザマスクＤＭを生成する。これにより、図６のインクデューティーが８％や４％の場合の特性を実現する。こうしたディザマスクの閾値の設定方法については、例えば、特許文献２に記載されている。なお、本実施形態ではハーフトーンモジュール４４はディザマスクＤＭを用いて組織的ディザ法によりハーフトーン処理を行うが、誤差拡散法などの他の手法によってハーフトーン処理を行ってもよい。
【００４０】
ハーフトーン処理が終了すると、コンピューター１００は、ハーフトーン処理されたＣ、Ｍ、Ｙ、Ｋについての各画像データを、印刷データとして、印刷データ出力モジュール４６を用いてプリンター２００に出力する（ステップＳ４００）。このとき、コンピューター１００は、重複ノズルマップを参照して、どのノズルを用いて各画素にドットを形成するかを指定するためのデータを印刷データに含ませる。なお、ステップＳ４００を「ドット形成工程」ともいう。
【００４１】
プリンター２００は、この印刷データを受信して、上述のように、ノズルピッチを「２」、紙送り量を「７」として印刷ヘッド２４１を駆動し、印刷ヘッド２４１の往動時と復動時の両方で各色のインクを印刷データにおいて指定させたノズルから吐出させて双方向印刷を行う。
【００４２】
以上で説明した印刷処理によれば、濃度の高い黒色を印刷する場合に、黒インクだけではなく少量の有彩色インクも吐出され、印刷媒体上の同一印刷位置を見れば、有彩色インクが後行パス主体で吐出される。言い換えれば、有彩色インクが少量吐出される際は、印刷媒体上の同一印刷位置を見れば、有彩色インクの方が、黒インクよりも相対的に遅く吐出される。従って、樹脂の含有量の少ない黒インクを用いて濃い黒色を出力する際に、樹脂の含有量の多い有彩色インクを印刷媒体上の表面に多く残すことができる。そのため、光の乱反射が抑制され、光沢むらの発生を抑制することができる。特に本実施形態では、シリアル方式のプリンターにおいて双方向印刷を行っているため、光沢むらがバンド幅毎に認識される「光沢バンディング」という現象が発生しやすい。しかし、本実施形態では、上記の通り光の乱反射の発生を抑制することが出来るので、光沢バンディングの発生を抑制することも出来る。また、本実施形態によれば、有彩色インクによって光沢むらを抑制するので、黒以外の無彩色インク（例えば、ライトグレー）を持たないプリンターでも光沢むらの発生を抑制できる。
【００４３】
また、本実施形態によれば、特別なハーフトーン手法を行う場合には、ディザマスクＤＭには、有彩色インクを吐出する後行ノズルによってドットが形成される位置に対応する閾値が、有彩色インクを吐出する複数のノズル内の先行ノズルによりドットが形成される位置に対応する閾値よりもドットが形成されやすい値に設定されているので、ディザマスクＤＭを用いるだけで、ハーフトーン処理と各ノズルの使用率の決定とを同時に行うことができる。従って、処理を高速化できる。
【００４４】
Ｂ．第２実施形態：
上述した第１実施形態では、特別なハーフトーン手法を用いている。これに対して、第２実施形態では、特別なハーフトーン手法を用いず、重複ノズルマップのみを用いて各ノズルの使用率を設定する。図１０は、第２実施形態における有彩色インク用ノズル列のノズル別のノズル使用率の設計値を示す図である。図１１は、図１０のインクデューティーの特性を実現するための重複ノズルマップの一例を示す図である。図６に示したように、第１実施形態ではノズル番号に応じてノズル使用率を変化させている。これに対して、第２実施形態では、図１０に示すように、同じパスで使用される各ノズルのノズル使用率を同一にする。図１０に示した例ではノズル番号０〜６は同じパスで使用され、各ノズルの使用率は７５％で一定である。また、ノズル番号７〜１３は、ノズル番号０〜６よりも前の同じパスで使用され、各ノズルの使用率は２５％で一定である。
【００４５】
本実施形態にでは、黒インクに少量混色させる有彩色インクを、図１１に示した重複ノズルマップのように、後行ノズルの使用率が高くなる。重複ノズルマップを用いて、全てのインクデューティーについて、後行ノズルの使用率を高くする。このような制御を行うことによっても、第１実施形態と同様に光沢むらの発生を抑制することが出来る。なお、入力データから黒色近傍の色を検出し、黒色近傍の色を出力するときのみ図１１に示した重複ノズルマップを用いることとしてもよい。
【００４６】
Ｃ．第３実施形態：
上述した第１実施形態では、重複ノズルマップを用いて、各ノズルの使用率を設定している。これに対して第３実施形態では、重複ノズルマップは用いず、画素単位で確率的にノズル使用率を制御する。例えば、図６では、インクデューティーが１００％、５０％、８％、４％の時のノズル番号別のノズル使用率が示されているが、図６では明示されていないインクデューティーの場合についても同様に決定するか、あるいは決定されているインクデューティーの特性を元に、その間の特性についてはノズル番号ごとに直線補間演算で求めるなどその求め方をすれば、任意のインクデューティーの時のノズル番号別のノズル使用率を決定できる。
【００４７】
例えば、画素位置（ｘ，ｙ）の入力階調値（ＩｎｐｕｔＤｕｔｙ（ｘ，ｙ））に対応する、ノズル番号（ｎｗ）別のノズル使用率の期待値は、入力階調値とノズル番号の関数として式（１）のようにして得られる。
【００４８】
Nozzle On Duty ( Input Duty ( x, y ) , nw )  …（１）
【００４９】
また、例えば、図７に示したようにドットが形成されていく場合、左上のノズル番号０に対応する副走査方向の画素位置をｙ＝１とすれば、任意の副操作方向の画素位置ｙにドットが形成可能な２つのノズルのノズル番号ｎｗ１（ｙ）、ｎｗ２（ｙ）は式（２）、（３）のようにして得られる。なお、”％”は余りを求める演算子である。
【００５０】
ｙが偶数の場合  nw1(y) = (y / 2 + 3 ) % 7,   nw2(y) = nw1(y) + 7  …（２）
ｙが奇数の場合  nw1(y) = ( (y-1) / 2 ) % 7,   nw2(y) = nw1(y) + 7  …（３）
【００５１】
この時、重複する２ノズルの使用率の合計は、その画素の入力階調値に等しいので以下の式（４）の関係が成立する。
【００５２】
Input Duty ( x, y ) = Nozzle On Duty ( Input Duty ( x, y ) , nw1(y) )
+ Nozzle On Duty ( Input Duty ( x, y ) , nw2(y) )   …（４）
【００５３】
本実施形態では、各画素位置の入力階調値を誤差拡散法やディザ法などの一般的なハーフトーン手法により２値化処理を行う。インクが吐出される画素位置で重複ノズルｎｗ１（ｙ）、ｎｗ２（ｙ）のどちらを使用するかについては、例えば画素ごとの値に０〜１の間の実数乱数（ｒａｎｄ（））を発生させ、式（５）、（６）のように決めればよい。
【００５４】
rand( ) < Nozzle On Duty ( Input Duty ( x, y ) , nw1(y) ) / Input Duty ( x, y )であればnw1を使用  …（５）
rand( ) ≧ Nozzle On Duty ( Input Duty ( x, y ) , nw1(y) ) / Input Duty ( x, y )であればnw2を使用…（６）
【００５５】
本実施形態によれば、重複ノズルマップを用いることなく、ノズル番号毎のノズル使用率について図６のような特性を実現することができる。
【００５６】
Ｄ．変形例：
＜第１変形例＞
上述した実施形態では、インクの色材として顔料を用いたが、染料を用いてもよい。
【００５７】
＜第２変形例＞
上述した実施形態では、コンピューター１００とプリンター２００とによって構成される印刷システム１０において印刷を行っている。これに対して、プリンター２００自体が、画像データをデジタルカメラや各種メモリーカードから入力して印刷を行うこととしてもよい。つまり、プリンター２００の制御回路２６０内のＣＰＵ１０２が、上述した印刷処理およびハーフトーン処理と同等の処理を実行することで印刷を行ってもよい。
【００５８】
＜第３変形例＞
上述した実施形態において、黒インクの入力階調値が最大値又は最大値付近（例えば、最大入力階調値の９５％以上）の場合のみ、有彩色インクを後行ノズルから吐出してもよい。
【００５９】
＜第４変形例＞
上述した実施形態における、オーバーラップ数、ノズルピッチ、紙送り量、印刷モード（双方向印刷モード）は、一例であり、これらのパラメーターは任意に設定可能である。例えば、印刷モードは往動時または復動時にのみインクを吐出する一方向モードでもよい。
【００６０】
本発明は、上述の実施形態や変形例に限られるものではなく、その趣旨を逸脱しない範囲において種々の構成で実現することができる。例えば発明の概要の欄に記載した各形態中の技術的特徴に対応する実施形態、変形例中の技術的特徴は、上述した課題を解決するために、あるいは上述の効果の一部又は全部を達成するために、適宜、差し替えや組み合わせを行うことが可能である。また、その技術的特徴が本明細書中に必須なものとして説明されていなければ、適宜削除することが可能である。
【符号の説明】
【００６１】
１０…印刷システム、２０…アプリケーションプログラム、２２…ビデオドライバー、２４…プリンタードライバー、４０…画像取得モジュール、４２…色変換モジュール、４４…ハーフトーンモジュール、４６…印刷データ出力モジュール、１００…コンピューター、１０２…ＣＰＵ、１１４…ディスプレイ、１２０…デジタルカメラ、２００…プリンター、２３０…キャリッジモーター、２３１…駆動ベルト、２３２…プーリー、２３３…摺動軸、２３５…モーター、２３６…プラテン、２４０…キャリッジ、２４１…印刷ヘッド、２４３…インクカートリッジ、２４４〜２４７…ノズル列、２５６…操作パネル、２６０…制御回路、ＣＡ…共通の印刷領域、ＤＭ…ディザマスク、ＩＭＧ…画像データ、ＬＵＴ…色変換テーブル、Ｐ…印刷媒体
【図１】
2018043456.tif 000003
【図２】
2018043456.tif 000004
【図３】
2018043456.tif 000005
【図４】
2018043456.tif 000006
【図５】
2018043456.tif 000007
【図６】
2018043456.tif 000008
【図７】
2018043456.tif 000009
【図８】
2018043456.tif 000010
【図９】
2018043456.tif 000011
【図１０】
2018043456.tif 000012
【図１１】
2018043456.tif 000013